(57)【特許請求の範囲】
【請求項１】
誘導灯本体を吊り下げるために用いられる吊り下げ器具であって、設置板と、該設置板と前記誘導灯本体との間に設けられる電線管とを備え、前記電線管が剛性管と、該剛性管に接続される金属製の可撓管とを有して構成され、前記可撓管の一方の端部が前記剛性管に接続され、前記可撓管の他方の端部が前記誘導灯本体に接続され、衝撃によって前記誘導灯本体と前記電線管との接続部分が破損することを防止するために、前記可撓管が自由に曲がることを特徴とする吊り下げ器具。
【請求項２】
前記設置板と前記電線管との間に設けられるソケットをさらに備え、前記電線管が前記ソケットに球面接触していることを特徴とする請求項１に記載の吊り下げ器具。
【請求項３】
前記設置板が取り付けられるボックスをさらに備え、前記ボックスが電線を収納可能な内部空間を有することを特徴とする請求項１に記載の吊り下げ器具。
【請求項４】
誘導灯本体と、請求項１〜３のいずれか１項に記載の吊り下げ器具とを備えることを特徴とする吊り下げ式誘導灯。
【発明の詳細な説明】
【技術分野】
【０００１】
本発明は、吊り下げ式誘導灯及びそれに用いられる吊り下げ器具に関する。
【背景技術】
【０００２】
従来、屋内で吊り下げて使用される吊り下げ式誘導灯が知られている。斯かる誘導灯は、避難通路を示す標識として機能する誘導灯本体と、該誘導灯本体を吊り下げるために用いられる吊り下げ器具とを備えている。吊り下げ器具は、天井などに埋設された配線ボックスに固定される設置板と、該設置板と誘導灯本体との間に設けられる電線管とを有して構成されている。
【０００３】
しかしながら、従来の吊り下げ式誘導灯では、電線管が曲げ変形し難い剛性管で構成されている。したがって、衝撃又は振動によって、設置板と電線管との接続部分又は誘導灯本体と電線管との接続部分が破損し易かった。また、従来の吊り下げ式誘導灯では、誘導灯本体の設置方向を変えるために吊り下げ器具を取り外さなければならなかった。さらに、別の吊り下げ式誘導灯に交換する場合に、電線の置き場所がないため、交換作業が面倒であった。
【発明の概要】
【発明が解決しようとする課題】
【０００４】
本発明が解決しようとする第１の課題は、衝撃又は振動による破損を減少させることが可能な吊り下げ器具及び吊り下げ式誘導灯を提供することである。また、第２の課題は、誘導灯本体の設置方向を容易に変更可能な吊り下げ器具及び吊り下げ式誘導灯を提供することである。さらに、第３の課題は、吊り下げ式誘導灯の交換作業を容易にすることが可能な吊り下げ器具及び吊り下げ式誘導灯を提供することである。
【課題を解決するための手段】
【０００５】
上記課題を解決するため、本発明は、以下の吊り下げ器具及び吊り下げ式誘導灯を提供する。
１．誘導灯本体を吊り下げるために用いられる吊り下げ器具であって、設置板と、該設置板と前記誘導灯本体との間に設けられる電線管とを備え、前記電線管が剛性管と、該剛性管に接続される金属製の可撓管とを有して構成され、前記可撓管の一方の端部が前記剛性管に接続され、前記可撓管の他方の端部が前記誘導灯本体に接続され、衝撃によって前記誘導灯本体と前記電線管との接続部分が破損することを防止するために、前記可撓管が自由に曲がることを特徴とする吊り下げ器具。
２．前記設置板と前記電線管との間に設けられるソケットをさらに備え、前記電線管が前記ソケットに球面接触していることを特徴とする前記１に記載の吊り下げ器具。
３．前記設置板が取り付けられるボックスをさらに備え、前記ボックスが電線を収納可能な内部空間を有することを特徴とする前記１に記載の吊り下げ器具。
４．誘導灯本体と、前記１〜３のいずれか１項に記載の吊り下げ器具とを備えることを特徴とする吊り下げ式誘導灯。
【発明の効果】
【０００６】
前記１に記載の本発明は、可撓管の曲げ変形によって、衝撃又は振動を緩和し得る。したがって、本発明によれば、衝撃又は振動による破損を減少させることが可能になる。また、可撓管が金属製であるため、可撓管が火災により燃えたり溶けたりし難い。したがって、本発明によれば、火災時に誘導灯本体が落下することを防止し得る。
前記２に記載の本発明は、電線管がソケットに球面接触しているため、電線管の中心軸を中心として回転し得る。したがって、本発明によれば、吊り下げ器具全体を取り外さなくても、誘導灯本体の設置方向を容易に変更することが可能になる。また、電線管は中心軸が傾斜する方向にも回転し得るため、勾配を有する設置面に対して誘導灯本体を垂直に設置することが可能になる。さらに、ソケット内で電線管の接続部分が回転することによって、衝撃又は振動を緩和し得るので、衝撃又は振動による破損をより効果的に防止することが可能になる。
前記３に記載の本発明は、再使用する電線をボックスに収納し得る。したがって、本発明によれば、吊り下げ式誘導灯の交換作業が容易になる。
前記４に記載の本発明は、前記１〜３のいずれか１項に記載の吊り下げ器具を備えるため、上記した効果を有する吊り下げ式誘導灯を提供することが可能になる。
【図面の簡単な説明】
【０００７】
【図１】図１は、本発明の実施例に係る吊り下げ式誘導灯を示す図である。
【発明を実施するための形態】
【０００８】
以下、本発明の実施例に基づいて本発明の実施形態をさらに具体的に説明するが、本発明の技術的範囲は以下の説明の内容に限定されるものではない。
【実施例】
【０００９】
本発明の実施例に係る吊り下げ式誘導灯は、図１に示したように、誘導灯本体１０及び吊り下げ器具２０を有して構成される。
【００１０】
誘導灯本体１０は、避難通路などを示す標識として機能するものであれば、どのようなものであってもよい。本実施例で採用した誘導灯本体１０は、避難通路を表すシンボルマーク（ピクトグラム）が描かれた表示板１１と、該表示板１１に光を照射する発光装置（図示せず）とを備え、暗所においても視認し易いように構成されている。
【００１１】
吊り下げ器具２０は、誘導灯本体１０を吊り下げるために用いられる器具である。本実施例で採用した吊り下げ器具２０は、設置板２１及び電線管２２を有して構成される。
【００１２】
設置板２１は、天井などに埋設された配線ボックス（図示せず）に直接取り付けられてもよい。しかしながら、吊り下げ式誘導灯を交換するために設置板２１を取り外したときに、再使用する電線の置き場所がないので、作業が面倒になる。
【００１３】
本実施例では、設置板２１と配線ボックスとの間にボックス２３を設けることによって、上記問題を解消した。すなわち、本実施例では、ボックス２３が配線ボックスに取り付けられ、設置板２１はボックス２３に取り付けられている。ボックス２３は、再使用する電線を収納可能な内部空間を有する。この構成によれば、設置板２１を取り外した後、再使用する電線をボックス２３に収納し得るため、電線の置き場所に困ることもないし、電線をボックス２３から簡単に取り出して再使用することができる。したがって、吊り下げ式誘導灯の交換作業が容易になる。
【００１４】
電線管２２は、設置板２１と誘導灯本体１０との間に設けられる。電線管２２の内部には、誘導灯本体１０の内部に設置された発光装置などに電力を供給するための電線が収納される。
【００１５】
電線管２２は、剛性管２２ａ及び可撓管２２ｂを有して構成される。剛性管２２ａは、鉄、アルミニウム、ステンレス鋼などのような耐火性及び耐熱性に優れた金属材料で作られることが好ましい。特に、ステンレス鋼は耐食性が高いので、剛性管２２ａの材料として好ましい。剛性管２２ａは設置板２１に直接接続されてもよいが、この場合、衝撃又は振動によって、剛性管２２ａと設置板２１との接続部分が破損するおそれがある。本実施例では、このような不具合を解消するため、設置板２１と電線管２２（すなわち、剛性管２２ａ）との間に、電線管２２と球面接触するソケット２４が設けられている。
【００１６】
本実施例で採用した剛性管２２ａの一方の端部には、球面を有するボール部２２ｃが設けられている。一方、ソケット２４は、剛性管２２ａのボール部２２ｃを固定するための保持部材２４ａを備えている。保持部材２４ａは、ねじ２４ｂを締めることによって、剛性管２２ａのボール部２２ｃに押し当てられるようになっている。剛性管２２ａは、保持部材２４ａがボール部２２ｃに押し当てられることによって、回転しないように固定される。
【００１７】
強い衝撃や大きな振動によって、剛性管２２ａとソケット２４との接続部分に荷重が集中したときには、ボール部２２ｃがソケット２４の内部で回転し得る。したがって、この構成によれば、当該部分の破損を効果的に防止し得る。
【００１８】
ねじ２４ｂを緩めて、保持部材２４ａがボール部２２ｃに押し当てられた状態を解除することによって、剛性管２２ａは、中心軸Ａを中心として自由に回転し得る。したがって、本実施例によれば、吊り下げ器具２０を取り外さなくても、誘導灯本体１０の設置方向を容易に変更することが可能である。
【００１９】
また、保持部材２４ａがボール部２２ｃに押し当てられた状態を解除することによって、剛性管２２ａは、中心軸Ａが傾斜する方向にも回転し得る。したがって、本実施例によれば、勾配を有する設置面に対して誘導灯本体１０を垂直に設置することも可能である。
【００２０】
可撓管２２ｂは、剛性管２２ａの場合と同じ理由で、金属製であることが好ましい。特に、ステンレス鋼は耐食性が高いので、可撓管２２ｂの材料として好ましい。本実施例で採用した可撓管２２ｂは、凹凸を有する形状に加工された材料を螺旋状に巻くことによって形成された筒状の管である。可撓管２２ｂの一方の端部は剛性管２２ａに接続され、可撓管２２ｂの他方の端部は誘導灯本体１０に接続される。
【００２１】
可撓管２２ｂは、剛性管２２ａと異なり、管を自由に曲げることが可能である。したがって、この構成によれば、可撓管２２ｂの曲げ変形によって、衝撃又は振動を緩和し得る。その結果として、本実施例によれば、衝撃又は振動によって、電線管２２の接続部分が破損することを減少させることができる。
【００２２】
金属製の可撓管２２ｂは、火災時に燃えたり溶けたりし難いため、誘導灯本体１０の落下を防止し得る。また、火災から電線を保護し得る。さらに、電線から発火した場合でも、火災の拡大を防止し得る。
【符号の説明】
【００２３】
１０  誘導灯本体
１１  表示板
２０  吊り下げ器具
２１  設置板
２２  電線管
２２ａ  剛性管
２２ｂ  可撓管
２２ｃ  ボール部
２３  ボックス
２４  ソケット
２４ａ  保持部材
２４ｂ  ねじ
【図１】
0006534184.tif 000002